(57)【要約】【課題】短期間で施工可能な吊構造建物の構築方法を提供する。【解決手段】水平部材１０を構築する工程と、水平部材１０を揚重可能な水平部材昇降装置１１０を設置する工程と、水平部材１０を、水平部材１０の下方において、所定の階数範囲の最上階の梁床部材４０及び吊柱５０を地組可能な高さまで、水平部材昇降装置１１０により揚重する工程と、水平部材１０の下方に、所定の階数範囲の最上階の梁床部材４０を最上階の吊柱５０を介して接続する工程と、を行い、所定の階数範囲の階のうち最上階を除く各階を上階から下階の順序で作業対象階として、水平部材１０を、水平部材１０に吊持された最下階の梁床部材４０の下方において、作業対象階の梁床部材４０及び吊柱５０を地組可能な高さまで、水平部材昇降装置１１０により揚重する工程と、作業対象階の直上の階の梁床部材４０の下方に、作業対象階の梁床部材４０を作業対象階の吊柱５０を介して接続する工程と、を行う。【選択図】図２
2008280678.tif 000002
【特許請求の範囲】
【請求項１】
所定の階数範囲の各階の梁部材、梁床部材又は床部材（以下、梁部材等という）が、所定の高さに支持された主ビームから、当該梁部材等と同じ階及びこれより上階の吊柱を介して吊下された構成を有する吊構造建物を構築する方法であって、
前記主ビームを搬入又は地上において構築する主ビーム構築工程と、
前記主ビームを揚重可能な主ビーム揚重装置を設置する揚重装置設置工程と、
前記主ビームを、前記主ビームの下方において、前記所定の階数範囲の最上階の梁部材等及び吊柱を地組可能な高さまで、前記主ビーム揚重装置により揚重する第１の主ビーム揚重工程と、
前記主ビームの下方に、前記所定の階数範囲の最上階の梁部材等を前記最上階の吊柱を介して接続する第１の梁部材等接続工程と、を行い、
前記所定の階数範囲の階のうち最上階を除く少なくとも一部の階を上階から下階の順序で作業対象階として、
前記主ビームを、前記主ビームに吊持された最下階の梁部材等の下方において、前記作業対象階の梁部材等及び吊柱を地組可能な高さまで、前記主ビーム揚重装置により揚重する第２の主ビーム揚重工程と、
前記作業対象階の直上の階の梁部材等の下方に、前記作業対象階の梁部材等を前記作業対象階の吊柱を介して接続する第２の梁部材等接続工程と、を行うことを特徴とする吊構造建物の構築方法。
【請求項２】
前記主ビームは、前記梁部材等の周囲に立設された支持部材により所定の高さに支持されており、
前記主ビーム揚重装置は、前記主ビームに定着された吊り材と、
前記支持部材の上部に取り付けられ、前記吊り材を支持するとともに、前記吊り材に沿って昇降可能な昇降機構と、で構成され、
前記第１の主ビーム揚重工程及び前記第２の主ビーム揚重工程では、前記昇降機構が前記吊り材に沿って上昇又は下降することにより、前記主ビームを昇降させることを特徴とする請求項１記載の吊構造建物の構築方法。
【請求項３】
前記主ビームは、前記梁部材等の周囲に立設された支持部材により所定の高さに支持されており、
前記主ビーム揚重装置は、前記主ビームの下側に定着されたる吊り材と、
前記支持部材に取り付けられ、前記吊り材の上部を支持するとともに前記吊り材を昇降させることが可能な昇降機構と、で構成され、
前記第１の主ビーム揚重工程及び前記第２の主ビーム揚重工程では、前記昇降機構が前記吊り材を昇降させることにより、前記主ビームを昇降させることを特徴とする請求項１記載の吊構造建物の構築方法。
【請求項４】
請求項２又は３記載の吊構造建物の構築方法であって、
前記所定の階数範囲内の各階の前記梁部材等と前記支持部材とは、前記支持部材と連結部材を介して接続されており、
前記所定の階数範囲の梁部材等と前記支持部材とを連結部材を介して接続する連結部材設置工程を行うことを特徴とする吊構造建物の構築方法。
【請求項５】
請求項１から４何れかに記載の方法により構築されたことを特徴とする吊構造建物
【発明の詳細な説明】
【技術分野】
【０００１】
本発明は、メガフレームより複数の梁床部材を吊持してなる吊構造建物の構築方法に関する。
【背景技術】
【０００２】
従来より、複数の垂直部材の間に水平部材が架設されてなるメガフレームと、各階の床を構成する梁床部材と、各階の梁床部材の間及び最上階の梁床部材とメガフレームとの間を連結する吊柱とにより構成された吊構造建物が構築されている。
【０００３】
このような吊構造建物の構築方法として、例えば、特許文献１には、メガフレームを構築した後、地上において各階の梁床部材を積層した状態で成形し、これらの梁床部材をロッドにより連結し、水平部材の上に設置された昇降装置によりロッドを引き上げ、ロッドの上端をメガフレームを構成する水平部材に固定することにより、吊構造建物を構築する方法が記載されている。
【特許文献１】特許２７１７１４２号公報
【発明の開示】
【発明が解決しようとする課題】
【０００４】
上述したように、従来は、メガフレームを構成する水平部材及び梁床部材を別々の工程で上昇させている。このため、施工期間が長期化するという問題があった。
【０００５】
本発明は、上記の問題に鑑みなされたものであり、その目的は、短期間で施工可能な吊構造建物の構築方法を提供することである。
【課題を解決するための手段】
【０００６】
本発明の吊構造建物の構築方法は、所定の階数範囲の各階の梁部材、梁床部材又は床部材（以下、梁部材等という）が、所定の高さに支持された主ビームから、当該梁部材等と同じ階及びこれより上階の吊柱を介して吊下された構成を有する吊構造建物を構築する方法であって、前記主ビームを搬入又は地上において構築する主ビーム構築工程と、前記主ビームを揚重可能な主ビーム揚重装置を設置する揚重装置設置工程と、前記主ビームを、前記主ビームの下方において、前記所定の階数範囲の最上階の梁部材等及び吊柱を地組可能な高さまで、前記主ビーム揚重装置により揚重する第１の主ビーム揚重工程と、前記主ビームの下方に、前記所定の階数範囲の最上階の梁部材等を前記最上階の吊柱を介して接続する第１の梁部材等接続工程と、を行い、前記所定の階数範囲の階のうち最上階を除く少なくとも一部の階を上階から下階の順序で作業対象階として、前記主ビームを、前記主ビームに吊持された最下階の梁部材等の下方において、前記作業対象階の梁部材等及び吊柱を地組可能な高さまで、前記主ビーム揚重装置により揚重する第２の主ビーム揚重工程と、前記作業対象階の直上の階の梁部材等の下方に、前記作業対象階の梁部材等を前記作業対象階の吊柱を介して接続する第２の梁部材等接続工程と、を行うことを特徴とする。
なお、前記少なくとも一部の階以外の階については、本発明の方法に限らず、適宜な方法により構築すればよい。
【０００７】
ここで、前記主ビームは、前記梁部材等の周囲に立設された支持部材により所定の高さに支持されており、前記主ビーム揚重装置は、前記主ビームに定着された吊り材と、前記支持部材の上部に取り付けられ、前記吊り材を支持するとともに、前記吊り材に沿って昇降可能な昇降機構と、で構成され、前記第１の主ビーム揚重工程及び前記第２の主ビーム揚重工程では、前記昇降機構が前記吊り材に沿って上昇又は下降することにより、前記主ビームを昇降させてもよい。
【０００８】
また、前記主ビームは、前記梁部材等の周囲に立設された支持部材により所定の高さに支持されており、前記主ビーム揚重装置は、前記主ビームの下側に定着されたる吊り材と、前記支持部材に取り付けられ、前記吊り材の上部を支持するとともに前記吊り材を昇降させることが可能な昇降機構と、で構成され、前記第１の主ビーム揚重工程及び前記第２の主ビーム揚重工程では、前記昇降機構が前記吊り材を昇降させることにより、前記主ビームを昇降させてもよい。
【０００９】
また、前記所定の階数範囲内の各階の前記梁部材等と前記支持部材とは、前記支持部材と連結部材を介して接続されており、前記所定の階数範囲の梁部材等と前記支持部材とを連結部材を介して接続する連結部材設置工程を行ってもよい。
また、本発明の吊構造建物は、上記の方法により構築されたことを特徴とする。
【発明の効果】
【００１０】
本発明によれば、地上において構築した梁部材等を順次接続しながら、前記主ビームを揚重するため、主ビームと梁部材等を同時に上昇させることができるため、施工期間を短縮することができる。
【発明を実施するための最良の形態】
【００１１】
以下、本発明の吊構造建物の構築方法の一実施形態を図面を参照しながら説明する。
図１は、本実施形態の構築方法により構築された吊構造建物１００の構成を示す正面図である。同図に示すように、本実施形態の吊構造建物１００は、複数の垂直部材（特許請求の範囲における支持部材に相当）２０及びこれらの垂直部材２０の間に架設された水平部材（特許請求の範囲における主ビームに相当）１０からなるメガフレーム３０と、２〜８階の床を構成する床スラブ及び梁が一体となった梁床部材４０と、水平部材１０と最上階（８階）の梁床部材４０の間及び各階の梁床部材４０の間を連結する吊柱５０と、垂直部材２０と各階の梁床部材４０とを連結する連結部材６０と、を備える。
【００１２】
連結部材６０としては、梁床部材４０をメガフレーム３０の垂直部材２０に対して剛に接続できるように、剛性部材を用いる構成としてもよいし、ばね部材やダンパーなどを用いる構成としてもよい。
【００１３】
以下、このような吊構造建物１００の構築方法を説明する。図２〜図４は、本実施形態の吊構造建物の構築方法を説明するための図である。
図２に示すように、まず、ＳＴＥＰ１において、メガフレーム３０を構成する垂直部材２０を構築し、この垂直部材２０の上部に反力をとるように鋼製の節つきのロッド１１２及びジャッキ１１１からなる水平部材昇降装置１１０を設置する。すなわち、垂直部材２０の上端にジャッキ１１１を設置し、このジャッキ１１１にロッド１１２の上部を取付ける。なお、このようなジャッキ１１１としては、例えば、ロッド１１２に沿って昇降可能なシャックル付きのジャッキ（例えば、ＪＦＥシビル株式会社製）などが適している。また、ロッド１１２に代えて、鋼線や鋼材などを用いることもできる。なお、垂直部材２０は、予め構築されたものを搬入し、設置してもよい。
【００１４】
次に、ＳＴＥＰ２において、地上に設置されたベント１４０上で、メガフレーム３０を構成する水平部材１０を構築する。そして、ジャッキ１１１より下方に延びるロッド１１２の下部に、定着部１１３により水平部材１０を定着させる。なお、水平部材１０は、予め構築されたものを搬入してもよい。
【００１５】
次に、ＳＴＥＰ３において、ＳＴＥＰ４における水平部材１０の下方で８階の梁床部材４０及び吊柱５０を地組する作業を行えるよう、水平部材昇降装置１１０により、水平部材１０を所定の高さまで上昇させる。
次に、ＳＴＥＰ４において、水平部材１０の下方で、８階の梁床部材４０に吊柱５０の下端を接続し、また、吊柱５０の上端を水平部材１０に下方より接続する。
【００１６】
次に、ＳＴＥＰ５において、ＳＴＥＰ６における水平部材１０の下方で７階の梁床部材４０及び吊柱５０を地組する作業を行えるよう、水平部材昇降装置１１０により、８階の梁床部材４０が接続された状態の水平部材１０を所定の高さまで上昇させる。
次に、ＳＴＥＰ６において、８階の梁床部材４０の下方で、７階の梁床部材４０に吊柱５０の下端を接続し、また、吊柱５０の上端を８階の梁床部材４０に下方より接続する。
【００１７】
次に、図３のＳＴＥＰ７〜図４のＳＴＥＰ１６において、６階から２階までを階高調整階として、ＳＴＥＰ４及びＳＴＥＰ５と同様に、水平部材昇降装置１１０により、梁床部材４０が接続された水平部材１０を所定の高さまで上昇させ、階高調整階の梁床部材４０に吊柱５０の下端を接続し、また、吊柱５０の上端を階高調整階の直上の階の梁床部材４０に下方より接続する。これにより、図４のＳＴＥＰ１６に示すような、メガフレーム３０の水平部材１０より各階の梁床部材４０が吊柱５０を介して吊持された状態となる。
【００１８】
次に、ＳＴＥＰ１７において、水平部材昇降装置１１０を解体し、撤去する。
次に、ＳＴＥＰ１８において、各階の梁床部材４０を垂直部材２０と連結部材６０を介して接続する。
以上の工程により、吊構造建物１００を構築することができる。
【００１９】
以上説明したように、本実施形態の吊構造建物の構築方法によれば、水平部材１０を各階の梁床部材４０が接続された状態で上昇させ、さらに、水平部材１０を上昇させる工程とともに、各階を所定の階高に調整することができるため、水平部材１０と梁床部材４０を別々に上昇させる方法に比べて、施工期間を短縮することができる。また、従来の方法では、梁床部材をロッドで接続した状態で、ロッドを吊上げており、一度吊上げ作業を開始してしまうと、階高の調整を行うことができないが、本実施形態によれば、水平部材昇降装置１１０により水平部材１０を昇降させる高さを調整することにより、吊上げ作業中であっても適宜階高を変更することができる。
【００２０】
なお、本実施形態では、水平部材昇降装置１１０を、ロッド１１２の下端部を定着部１１３により水平部材１０に定着し、ロッド１１２の上端部にジャッキ１１１を垂直部材２０の上部に反力を取ることができるように設置する構成としたが、これに限らず、ロッド１１２の上部を定着部１１３により垂直部材２０の上部に定着させ、ジャッキ１１１をロッド１１２の水平部材１０の下面より突出した部分に、水平部材４０を下方から支持するように設置する構成としてもよい。
【００２１】
また、本実施形態では、梁床部材４０とメガフレーム３０の垂直部材２０との間に連結部材６０を介装する構成としたが、これに限らず、連結部材６０を省略することも可能である。
また、本実施形態では、各階の梁と床が一体となった梁床部材４０が吊持された吊構造建物１００を構築する場合について説明したが、これに限らず、梁と床が別体であり梁部材又は床部材のみが吊持された吊構造建物に対しても本発明を適用することができる。
また、上記各実施形態では、吊柱５０により吊持された全ての階の梁床部材４０を本発明の方法により構築する場合について説明したが、これに限らず、一部の階のみを本発明の方法により構築することも可能である。
【図面の簡単な説明】
【００２２】
【図１】本実施形態の構築方法により構築された吊構造建物の構成を示す正面図である。
【図２】本実施形態の吊構造建物の構築方法を説明するための図（その１）である。
【図３】本実施形態の吊構造建物の構築方法を説明するための図（その２）である。
【図４】本実施形態の吊構造建物の構築方法を説明するための図（その３）である。
【符号の説明】
【００２３】
１０  水平部材
２０  垂直部材
３０  メガフレーム
４０  梁床部材
５０  （本設の）吊柱
６０  連結部材
１００  吊構造建物
１１０  水平部材昇降装置
１１１  ジャッキ
１１２  ロッド
１１３  定着部
【図１】
2008280678.tif 000003
【図２】
2008280678.tif 000004
【図３】
2008280678.tif 000005
【図４】
2008280678.tif 000006